(57)【特許請求の範囲】
【請求項１】
直交周波数分割多重通信法に従う無線ネットワークアクセスを提供する様に構成されたモデム装置であって、
前記直交周波数分割多重通信法に従い構成され、ベースバンド処理コンポーネントと、無線周波数処理コンポーネントと、デジタルインタフェースと、下りリンク制御情報復号器及び解析器と、を含むハードウェアサブシステムを有し、
前記無線周波数処理コンポーネントは、
前記直交周波数分割多重通信法に従い時間ドメインと周波数ドメインとの間での変換を行う様に構成された変換器コンポーネントと、
前記変換器コンポーネントと動作可能に結合され、リソース割り当てデータに従い、サブキャリアの分解スペースとサブキャリアの拡張スペースとの間での変換を実行する様に構成されたサブキャリア処理コンポーネントと、
制御情報に応答するサイクリックプレフィクス処理コンポーネントと、を有し、
前記ベースバンド処理コンポーネントは、
チャネル推定コンポーネントと、
前記チャネル推定コンポーネントに動作可能に結合されるチャネル等化コンポーネントと、
前記チャネル等化コンポーネントに動作可能に結合される物理下りリンク制御チャネル復号器コンポーネントと、を有し、
前記デジタルインタフェースは、前記ベースバンド処理コンポーネントと無線周波数処理コンポーネントとの間に配置され、前記サブキャリア処理コンポーネント及び前記チャネル推定コンポーネントと動作可能に結合され、
前記下りリンク制御情報復号器及び解析器が、物理下りリンク制御チャネルの下りリンク制御情報から上りリンクリソース割り当てデータを取得する様に構成された前記物理下りリンク制御チャネル復号器コンポーネントに動作可能に結合され、
前記下りリンク制御情報復号器及び解析器が、前記上りリンクリソース配分データに関連するサブフレームを識別する識別子によって、前記上りリンクリソース配分データを充実させる様に構成された、モデム装置。
【請求項２】
請求項１に記載のモデム装置であって、
前記変換器コンポーネントは、フーリエ計算コンポーネントである、モデム装置。
【請求項３】
請求項１に記載のモデム装置であって、
前記サブキャリア処理コンポーネントは、サブキャリア入力を有する配分リソース選択器サブコンポーネントを有し、
前記配分リソース選択器サブコンポーネントは、必要サブキャリア及び不要サブキャリアを含むサブキャリアの前記サブキャリア入力での受信に応答して、前記不要サブキャリアから前記必要サブキャリアのみを識別する様に構成され、
前記必要サブキャリアは、前記リソース割り当てデータにより定義される、モデム装置。
【請求項４】
請求項３に記載のモデム装置であって、
前記下りリンク制御情報復号器及び解析器は、前記サブキャリア処理コンポーネントに前記リソース割り当てデータを通信する様に構成される、モデム装置。
【請求項５】
請求項１に記載のモデム装置であって、
前記サブキャリア処理コンポーネントは、不要サブキャリアから必要サブキャリアのみを識別する様に構成される、モデム装置。
【請求項６】
請求項１に記載のモデム装置であって、
前記ベースバンド処理コンポーネントは、前記デジタルインタフェースの制御チャネルを介して前記リソース割り当てデータを通信する様に構成された、前記下りリンク制御情報復号器及び解析器を備えている、モデム装置。
【請求項７】
請求項５に記載のモデム装置であって、前記ベースバンド処理コンポーネントは、さらに、
基準信号を搬送しているサブキャリアを識別する様に構成されたプロトコルソフトウェアコンポーネントを備えている、モデム装置。
【請求項８】
請求項７に記載のモデム装置であって、前記プロトコルソフトウェアコンポーネントで識別される前記サブキャリアは、前記サブキャリア処理コンポーネントに通信され、前記必要サブキャリアは、前記プロトコルソフトウェアコンポーネントで識別された前記サブキャリアを含む、モデム装置。
【請求項９】
請求項３又は４に記載のモデム装置であって、
前記サブキャリア処理コンポーネントは、さらに、前記配分リソース選択器サブコンポーネントに動作可能に接続されるディマッピングサブコンポーネントを有し、
前記ディマッピングサブコンポーネントは、前記配分リソース選択器サブコンポーネントから前記必要サブキャリアを受信する様に構成され、
前記ディマッピングサブコンポーネントは、前記リソース割り当てデータに従い前記必要サブキャリアのディマッピングを行う様に構成される、モデム装置。
【請求項１０】
請求項９に記載のモデム装置であって、前記無線周波数処理コンポーネントは、さらに、
前記ディマッピングサブコンポーネントの入力に動作可能に結合されるバッファを備えている、モデム装置。
【請求項１１】
請求項１から９のいずれか１項に記載のモデム装置であって、
前記リソース割り当てデータは、下りリンクリソース配分データである、モデム装置。
【請求項１２】
請求項１から９のいずれか１項に記載のモデム装置であって、
前記サブキャリア処理コンポーネントは、マッピングサブコンポーネントを有し、
前記マッピングサブコンポーネントは、前記リソース割り当てデータを受信する様に構成され、
前記マッピングサブコンポーネントは、前記デジタルインタフェースを介してシンボルを受信し、前記リソース割り当てデータに従い受信した前記シンボルのマッピングを行う様に構成される、モデム装置。
【請求項１３】
請求項１２に記載のモデム装置であって、
前記リソース割り当てデータは、上りリンクリソース配分データである、モデム装置。
【請求項１４】
請求項１２又は１３に記載のモデム装置であって、
前記サブキャリア処理コンポーネントは、第１変換器コンポーネントに動作可能に接続されるサブキャリアパディングサブコンポーネントを有し、
前記サブキャリアパディングサブコンポーネントは、前記リソース割り当てデータで配分されていないサブキャリアにゼロパディングデータを挿入する様に構成される、モデム装置。
【請求項１５】
請求項１から１４のいずれか１項に記載のモデム装置であって、
前記ハードウェアサブシステムは、送受信機を備え、
前記送受信機は、前記無線周波数処理コンポーネントと、前記ベースバンド処理コンポーネントと、前記デジタルインタフェースと、を備えている、モデム装置。
【請求項１６】
請求項１から１５のいずれか１項に記載のモデム装置であって、
前記無線周波数処理コンポーネントと、前記ベースバンド処理コンポーネントと、前記デジタルインタフェースとは、送信機チェインをサポートする様に構成される、モデム装置。
【請求項１７】
請求項１から１６のいずれか１項に記載のモデム装置であって、
前記無線周波数処理コンポーネントと、前記ベースバンド処理コンポーネントと、前記デジタルインタフェースとは、受信機チェインをサポートする様に構成される、モデム装置。
【請求項１８】
請求項１から１７のいずれか１項に記載のモデム装置であって、
前記ハードウェアサブシステムは、ロングタームエボリューション無線通信標準に従う直交周波数分割多重をサポートする、モデム装置。
【請求項１９】
請求項１から１８のいずれか１項に記載のモデム装置を含む通信装置。
【請求項２０】
請求項１９に記載の通信装置を含むユーザ装置。
【請求項２１】
請求項１から１８のいずれか１項に記載のモデム装置を含む、通信システム。
【請求項２２】
前記識別子はオフセットである、請求項１から１８のいずれかに１項に記載のモデム装置、又は請求項１９に記載の通信装置、又は請求項２０に記載のユーザ装置、又は請求項２１に記載の通信システム。
【請求項２３】
直交周波数分割多重通信法に従う無線ネットワークアクセスを提供する様に構成されたモデム装置でのサブキャリアの処理方法であって、
無線周波数処理コンポーネントが、前記直交周波数分割多重通信法に従い時間ドメインと周波数ドメインとの間での変換を行うことと、
無線周波数処理コンポーネントが、リソース割り当てデータに従い、サブキャリアの分解スペースとサブキャリアの拡張スペースとの間でのサブキャリアの変換を行うことと、
無線周波数処理コンポーネントが、サイクリックプレフィクスデータを処理することと、
ベースバンド処理コンポーネントがチャネル推定及びチャネル等化を実行することと、
デジタルインタフェースが、サブキャリア処理に関するノードとチャネル推定処理に関するノードとの間のデータの通信をサポートするために、前記ベースバンド処理コンポーネントと前記無線周波数処理コンポーネントとの間をインタフェースすることと、
を含み、
前記方法は、
下りリンク制御情報復号器及び解析器が、物理下りリンク制御チャネルの下りリンク制御情報から上りリンクリソース割り当てデータを取得し、前記下りリンク制御情報は、物理下りリンク制御チャネル復号器コンポーネントから取得され、
前記下りリンク制御情報復号器及び解析器が、前記上りリンクリソース配分データに関連するサブフレームを識別する識別子によって、前記上りリンクリソース配分データを充実させる、処理方法。
【発明の詳細な説明】
【技術分野】
【０００１】
本発明は、例えば、直交周波数分割多重通信法に従う様に構成されたベースバンド処理コンポーネント及び無線周波数処理コンポーネントを含むタイプのモデム装置に関する。本発明は、例えば、ベースバンド処理コンポーネントと無線周波数処理コンポーネントとの間がデジタルでインタフェースするタイプのサブキャリアの処理方法にも関する。
【背景技術】
【０００２】
例えば、しばしば４Ｇ通信システムとしても参照される、ロングタームエボリューション（ＬＴＥ）通信システムといった、直交周波数分割多重法による通信システムは、ユーザ装置（ＵＥ）ユニットと通信でき、発展型ノードＢ（ｅＮｏｄｅ  Ｂ）としてしばしば参照される基地局を利用することが知られている。ＵＥユニットは、典型的には、ネットワークインフラストラクチャにより提供される１つ以上のセルラ通信サービスの加入者により使用され、ネットワークインフラストラクチャは、ＵＥのために、地理的領域に渡る無線通信カバレッジを提供する、複数の概念的なセルそれぞれをサポートする、複数のｅＮｏｄｅ  Ｂを有する。ｅＮｏｄｅ  Ｂ及びＵＥは、モデムを備えた通信装置の例である。幾つかのアプリケーションにおいて、設計に対する多くの自由度を達成するため、個別の無線周波数（ＲＦ）集積回路（ＩＣ）と動作可能に接続されるベースバンドＩＣを使用してモデムを実現することが望まれる。
【０００３】
ＵＥユニットにおいて、ベースバンドＩＣ及びＲＦ  ＩＣは、共に、上りリンク及び下りリンク通信それぞれに使用される直交周波数分割多重（ＯＦＤＭ）通信法の様々な変形に従う動作をサポートする、送信機チェイン及び受信機チェインを有する送受信機アーキテクチャをサポートする。典型的に、受信信号は、ＲＦ  ＩＣによりダウンコンバートされ、ベースバンド周波数の範囲内の周波数を中心として、ベースバンドＩＣに伝達される。同様に、送信されるデジタル信号は、ベースバンド周波数の範囲内の周波数を中心として、ベースバンドＩＣで生成され、ＲＦ  ＩＣに伝達され、そこで、キャリア周波数のキャリア信号に変調される。ベースバンドＩＣ及びＲＦ  ＩＣとの間において、通信される信号は、デジタルインタフェースを介し伝達される。
【０００４】
しかしながら、ＬＴＥ、特に、ＬＴＥアドバンス変形は、例えば、多入力多出力（ＭＩＭＯ）及びキャリアアグリゲーションといった、無線通信データレート及び／又は信頼性を増加させる多くの方法を利用している。その様な最適化は、デジタルインタフェースが、そこを横切る通信においてサポートする必要があるデータ量を増加させる結果となる。デジタルインタフェースに関するデータスループットの増加は、例えば、デジタルインタフェースに起因する電力消費の増加、ベースバンドＩＣ及びＲＦ  ＩＣ間のデータ通信をサポートするための物理ピン数の増加要求によるデジタルインタフェースの複雑さの増加といった、望ましくない結果をもたらす。実際、より厳しい帯域幅要求、消費電力要求を積極的にサポートし、ＩＣ間の信号干渉の最小化を試みるために、デジタルインタフェースのデザインは、常に最適化されてきた。しかしながら、上述した様に、ある種の最適化は、金銭上、負の影響をしばしば有する関連する技術的なコストを伴う。
【先行技術文献】
【特許文献】
【０００５】
【特許文献１】米国特許出願公開第２０１３／３３１５２８８号明細書
【発明の概要】
【発明が解決しようとする課題】
【０００６】
特許文献１も、デジタルインタフェースを介して送信されるデータ量の削減に努力している。しかしながら、データスループットの削減は、受信信号のデジタルサンプルのワード長を制御することにより達成されている。
【課題を解決するための手段】
【０００７】
本発明の第１態様によると、直交周波数分割多重通信法に従う無線ネットワークアクセスを提供する様に構成されたモデム装置が提供され、前記装置は、直交周波数分割多重通信法に従い構成され、バースバンド処理コンポーネントと、無線周波数処理コンポーネントと、デジタルインタフェースと、を含むハードウェアサブシステムを有し、無線周波数処理コンポーネントは、直交周波数分割多重通信法に従い時間ドメインと周波数ドメインとの間での変換を行う様に構成された変換器コンポーネントと、前記変換器コンポーネントと動作可能に結合され、リソース割り当てデータに従い、サブキャリアの分解スペースとサブキャリアの拡張スペースとの間での変換を実行する様に構成されたサブキャリア処理コンポーネントと、制御情報に応答するサイクリックプレフィクス処理コンポーネントと、を有し、ベースバンド処理コンポーネントは、チャネル推定コンポーネントを有し、デジタルインタフェースは、ベースバンド処理コンポーネントとＲＦ処理コンポーネントとの間に配置され、デジタルインタフェースは、サブキャリア処理コンポーネント及びチャネル推定コンポーネントと動作可能に結合される。
【０００８】
リソース割り当てデータは、ユーザ装置に個別であり得る。
【０００９】
リソース配分データに従うサブキャリアの分解スペースとサブキャリアの拡張スペースとの間での変換は、直交周波数分割多重通信法に従い割り当てられた所定のトーン及び対応サブキャリアであり得る。
【００１０】
変換器コンポーネントは、フーリエ計算コンポーネントであり得る。フーリエ計算コンポーネントは、フーリエ変換コンポーネントであり得る。フーリエ計算コンポーネントは、フーリエ逆変換コンポーネントであり得る。フーリエ計算コンポーネントは、高速フーリエ変換コンポーネントであり得る。フーリエ計算コンポーネントは、高速フーリエ逆変換コンポーネントであり得る。フーリエ計算コンポーネントは、デジタルフーリエ変換コンポーネントであり得る。フーリエ計算コンポーネントは、デジタルフーリエ逆変換コンポーネントであり得る。
【００１１】
ベースバンド処理コンポーネントは、さらに、チャネル推定コンポーネントに動作可能に接続されるチャネル等化コンポーネントと、チャネル等化コンポーネントに動作可能に接続される物理下りリンク制御チャネル復号器コンポーネントと、を備え得る。
【００１２】
装置は、さらに、物理下りリンク制御チャネルの下りリンク制御情報からリソース割り当てデータを取得する様に構成された、下りリンク制御情報復号器及び解析器を備え得る。
【００１３】
リソース割り当てデータは、下りリンク制御情報のリソース割り当てフィールドから取得され得る。リソース割り当てデータは、リソース配分フィールドのリソースブロック割り当てパートから取得され得る。
【００１４】
サブキャリア処理コンポーネントは、サブキャリア入力を有する配分リソース選択器サブコンポーネントを有し、配分リソース選択器サブコンポーネントは、必要及び不要サブキャリアを含むサブキャリアの、サブキャリア入力での受信に応答して、不要サブキャリアから必要サブキャリアのみを識別する様に構成され、必要サブキャリアは、リソース割り当てデータにより定義され得る。
【００１５】
下りリンク制御情報復号器は、サブキャリア処理コンポーネントにリソース割り当てデータを通信する様に構成され得る。
【００１６】
サブキャリア処理コンポーネントは、不要サブキャリアから必要サブキャリアのみを識別する様に構成され得る。
【００１７】
配分リソース選択器サブコンポーネントは、受信サブキャリアから必要サブキャリアを選択するためにリソース割り当てデータを使用する様に構成され、必要サブキャリアは、ユーザ装置固有であり得る。
【００１８】
ベースバンド処理コンポーネントは、デジタルインタフェースの制御チャネルを介してリソース割り当てデータを通信する様に構成された、下りリンク制御情報復号器及び解析器を備え得る。
【００１９】
装置は、さらに、基準信号を搬送しているサブキャリアを識別する様に構成されたプロトコルソフトウェアコンポーネントを含み得る。
【００２０】
プロトコルソフトウェアコンポーネントで識別されるサブキャリアは、サブキャリア処理コンポーネントにも識別され、必要サブキャリアは、プロトコルソフトウェアコンポーネントで識別され得る。
【００２１】
サブキャリア処理コンポーネントは、さらに、配分リソース選択器サブコンポーネントに動作可能に接続されるディマッピングサブコンポーネントを有し、ディマッピングサブコンポーネントは、配分リソース選択器サブコンポーネントから必要サブキャリアを受信する様に構成され、ディマッピングサブコンポーネントは、リソース割り当てデータに従い必要サブキャリアのディマッピングを行う様に構成され得る。
【００２２】
装置は、さらに、ディマッピングサブコンポーネントの入力に動作可能に結合されるバッファを備え得る。
【００２３】
リソース割り当てデータは、下りリンクリソース配分データであり得る。
【００２４】
サブキャリア処理コンポーネントは、マッピングサブコンポーネントを有し、マッピングサブコンポーネントは、リソース割り当てデータを受信する様に構成され、デジタルインタフェースを介してシンボルを受信し、リソース割り当てデータに従い受信したシンボルのマッピングを行う様に構成され得る。
【００２５】
リソース割り当てデータは、上りリンクリソース配分データであり得る。
【００２６】
サブキャリア処理コンポーネントは、第１変換器コンポーネントに動作可能に接続されるサブキャリアパディングサブコンポーネントを有し、サブキャリアパディングサブコンポーネントは、リソース割り当てデータに関して割り当てられていないサブキャリアにゼロパディングデータを挿入する様に構成され得る。
【００２７】
ハードウェアサブシステムは、送受信機を備え、送受信機は、無線周波数処理コンポーネントと、ベースバンド処理コンポーネントと、デジタルインタフェースと、を備え得る。
【００２８】
無線周波数処理コンポーネントと、ベースバンド処理コンポーネントと、デジタルインタフェースとは、送信機チェインをサポートする様に構成され得る。
【００２９】
無線周波数処理コンポーネントと、ベースバンド処理コンポーネントと、デジタルインタフェースとは、受信機チェインをサポートする様に構成され得る。
【００３０】
ハードウェアサブシステムは、ロングタームエボリューション無線通信標準に従う直交周波数分割多重をサポートし得る。
【００３１】
本発明の第２態様によると、本発明の第１態様に関するモデム装置を含む、通信装置が提供される。
【００３２】
本発明の第３態様によると、本発明の第２態様に関する通信装置を含む、ユーザ装置ユニットが提供される。
【００３３】
本発明の第４態様によると、本発明の第１態様に関するモデムを含む、通信システムが提供される。
【００３４】
本発明の第５態様によると、直交周波数分割多重通信法に従う無線ネットワークアクセスを提供する様に構成されたモデム装置におけるサブキャリアの処理方法が提供され、前記方法は、無線周波数処理コンポーネントが、直交周波数分割多重通信法に従い時間ドメインと周波数ドメインとの間での変換を行うことと、無線周波数処理コンポーネントが、リソース割り当てデータに従い、サブキャリアの分解スペースとサブキャリアの拡張スペースとの間でのサブキャリアを変換することと、無線周波数処理コンポーネントが、サイクリックプレフィクスデータを処理することと、ベースバンド処理コンポーネントが、チャネル推定を生成することと、デジタルインタフェースが、サブキャリア処理に関するノードとチャネル推定処理に関するノードとの間のデータの通信をサポートするために、ベースバンド処理コンポーネントと無線周波数処理コンポーネントとの間をインタフェースすることと、を含んでいる。
【００３５】
この様に、ベースバンドＩＣ及びＲＦ  ＩＣとの間のデジタルインタフェースを通過するデータ転送を減らす、装置、方法及びシステムを提供することが可能になる。データ転送の減少は、上りリンク及び下りリンク通信のリソース配分構成に応じて、約３４％と約９９％の間であり得る。よって、これは、デジタルインタフェースに起因する電力消費とデジタルインタフェースでの遅延を減少させる。個別のベースバンドＩＣ及びＲＦ  ＩＣを維持することにより、ベースバンドＩＣ及びＲＦ  ＩＣ及びモジュラ構造の個別の製品開発をサポートすることもできる。さらに、上述したアプローチは、無線送信機、受信機及び／又は送受信機のウエハーの"面積"要求を緩和する。
【００３６】
本発明の少なくとも１つの実施形態について、添付の図面を参照し、例示目的で説明を行う。
【図面の簡単な説明】
【００３７】
【図１】通信ネットワークの部分として動作するユーザ装置ユニットの構成図。
【図２】本発明の実施形態を構成する図１のユーザ装置デバイスの構成図。
【図３】本発明の他の実施形態を構成する、モデム装置のハードウェアサブアセンブリの受信パスの構成図。
【図４】図３のサブアセンブリの詳細な構成図。
【図５】本発明のさらなる実施形態を構成し、図３及び図４のモデム装置により利用されるサブキャリアの処理方法の部分を示すフロー図。
【図６】図４のモデム装置により利用されるサブキャリアの処理方法の他の部分を示すフロー図。
【図７】図３及び図４のモデム装置と下りリンク通信に関しての利用帯域と時間とのグラフを示す図。
【図８】本発明の他の実施形態を構成する、モデム装置のハードウェアサブアセンブリの送信パスの構成図。
【図９】図８のサブアセンブリの詳細な構成図。
【図１０】本発明のさらなる実施形態を構成し、図８及び図９のモデム装置により利用されるサブキャリアの処理方法の部分を示すフロー図。
【図１１】図８及び図９のモデム装置と上りリンク通信に関しての利用帯域と時間とのグラフを示す図。
【発明を実施するための形態】
【００３８】
以下の説明において、同一の参照符号は、同様の部分を特定するために使用される。
【００３９】
図１を参照すると、例えば、ロングタームエボリューション（ＬＴＥ）通信システム１００といった、無線通信システムにおいて、通信ネットワークは、地理的領域に渡り、無線通信アクセスを提供する様に構成された複数のセルによりサポートされている。この例において、説明を簡潔にし、かつ簡略化するため、１つのセルのみが示されている。しかしながら、当業者は、通信ネットワークには多数のセルが通常配置されることを理解する。このように、セル１０２は、ＬＴＥ通信システム１００では発展型ノードＢ（ｅＮｏｄｅ  Ｂ）１０４として参照される基地局によりサポートされる。ｅＮｏｄｅ  Ｂ１０４は、エアインタフェースを介して、例えば、ユーザ装置（ＵＥ）ユニット１０６といった通信装置と、無線で通信できる。ｅＮｏｄｅ  Ｂ１０４は、発展型パケットコア（ＥＰＣ）１０８と動作可能に結合（接続）される。しかしながら、説明を簡潔にし、かつ簡略化するため、ＵＥユニット１０６に関して設定した本例において、無線通信ネットワークインフラストラクチャの更なる詳細をここでは述べない。さらに、ここで設定した例は、ＬＴＥ通信システム１００の文脈で述べられるが、当業者は、この例を、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｒｃｏｗａｖｅ  Ａｃｅｓｓ）通信標準及びＷｉＦｉ標準（ＩＥＥＥ  ８０２.１１）に従い動作する通信ネットワークといった、直交周波数分割（ＯＦＤＭ）通信法に従い動作する他の種類の通信ネットワークに適用可能であることを理解する。
【００４０】
図２によると、ＬＴＥ通信システムで動作するユーザ装置（ＵＥ）デバイス１０６／２００は、処理リソース２０２を有し、この例において、処理リソース２０２は、セルラ通信端末のチップセットである。処理リソース２０２は、送信機チェイン２０４と、受信機チェイン２０６に結合され、送信機チェイン２０４及び受信機チェイン２０６は、デュプレクス装置２０８に結合される。デュプレクス装置２０８は、アンテナ２１０に結合される。
【００４１】
ＵＥユニット２００は、例えば、ＲＡＭ２１２といった揮発性メモリと、例えば、ＲＯＭ２１４といった不揮発性メモリも有し、それぞれは、処理リソース２０２に結合される。処理リソース２０２は、マイクロフォン２１６、スピーカユニット２１８、キーパッド２２０及びディスプレイ２２２にも結合される。上述したＵＥユニット２００のアーキテクチャが、例えば、複数のアンテナといった、他の要素を含むことを当業者は理解するが、説明を簡潔にし、かつ簡略化することを維持するため、その様な追加の要素の詳細については記載しない。
【００４２】
送信機チェイン２０４及び受信機チェイン２０６は、ハードウェアサブシステムによりサポートされる。送信機チェイン２０４及び受信機チェイン２０６は、ＵＥユニット２００のモデムの部分である送受信機の部分である。モデムは、例えば、ＬＴＥ標準で定義される、ＯＦＤＭ通信法に従う無線ネットワークアクセスを提供する様に構成される。ここで設定した例において、用語モデムは、ＯＦＤＭ通信法に従う動作をサポートできる、任意の適切な信号変調及び／又は復調装置を含むものとして理解されるべきである。ハードウェアサブシステムは、他のサブシステムと共に、送信機チェイン２０４及び／又は受信機チェイン２０６に寄与する、ハードウェア要素及び／又はソフトウェア要素の集合である。
【００４３】
図３を参照すると、ＯＦＤＭ通信法に従う様に構成されたハードウェアサブシステム３００は、受信機チェイン２０６をサポートする、ベースバンド集積回路（ＩＣ）３０２及び無線周波数（ＲＦ）ＩＣ３０４を有する。デジタルインタフェース３０６は、ベースバンドＩＣ３０２及びＲＦ  ＩＣ３０４との間の通信のため、それらの間に配置される。ベースバンドＩＣ３０２は、ベースバンド処理コンポーネントの例であり、ＲＦ  ＩＣ３０４は、ＲＦ処理コンポーネントの例である。これらは、段階的に配置された機能コンポーネントである。受信機チェインのため、これらベースバンド処理コンポーネントは、中心がキャリア周波数からベースバンド領域の周波数に変換された後、つまり、キャリア周波数が除去された周波数領域に変換された後の入力ＯＦＤＭ信号を処理する。送信機チェインのためにその逆が適用、つまり、アナログドメインに変換され、キャリア周波数にアップコンバートされる前のベースバンド領域の信号が、これらのコンポーネントにより処理される。受信機チェインにおいて、ＲＦ処理コンポーネントは、受信したＯＦＤＭ信号をベースベンド領域の周波数にダウンコンバージョンするステージに配置された機能コンポーネントである。送信機チェインにおいて、これらは、キャリア信号を、受信した、中心がベースバンド領域の周波数にあるデジタル信号で変調する様に構成された機能コンポーネントである。デジタルインタフェース３０６は、ベースバンド処理コンポーネントとＲＦ処理コンポーネントとの間のインタフェースであり、ＬＴＥ標準下において最小規格の対象であり、例えば、ＯＦＤＭ通信法をサポートするベースバンド処理部とＲＦ処理部との間で、デジタルデータを通信するために提供される。しかしながら、ここ設定する例において、デジタルインタフェース３０６を横切るデータ帯域量を減少させるため、ＲＦ処理コンポーネントは、（ベースバンド処理コンポーネントによる実行の代わりに）ベースバンド処理コンポーネントにより実行されるとしたベースバンド処理タスクの幾つかを行う。
【００４４】
受信機チェイン２０６は、ベースバンドＩＣ３０２、ＲＦ  ＩＣ３０４及びデジタルインタフェース３０６により、以下の様にサポートされる。ＲＦ  ＩＣ３０４は、フィルタリング、増幅、周波数変換及びゲイン制御を含む上流ＲＦ処理を含む。上流ＲＦ処理ユニット３０８のこれら及び残りのコンポーネントは、当業者には容易に理解され、ここで設定した例の理解には関係しないため、ここでは詳細な説明は行わない。上流ＲＦ処理ユニット３０８は、例えば、アナログ−デジタル変換器３１０といった第１変換器の入力部に動作可能に結合され、アナログ−デジタル変換器３１０は、例えば、サイクリックプレフィクス除去ユニット３１２であるサイクリックプレフィクス処理ユニットと動作可能に結合される出力部を有する。この例において、サイクリックプレフィクスの上りリンク及び下りリンク処理は、サイクリックプレフィクス処理ユニットにより実行されるが、当業者は、これら処理を個別の処理要素で実行できることを理解する。
【００４５】
ＲＦ  ＩＣ  ３０４は、上述した第１変換器とは本質が異なり、例えば、シリアル−パラレル変換器といったパラレルデータとシリアルデータとの変換をサポートする第２変換器をさらに備えており、第２変換器は、サイクリックプレフィクス除去ユニット３１２の出力と動作可能に結合される入力部と、例えば、高速フーリエ変換（ＦＦＴ）ユニット３１６といった、ＯＦＤＭ通信法に従い時間ドメインと周波数ドメインとの信号変換をサポートする様に構成された第３変換器の入力と動作可能に結合される出力部と、を有する。ＦＦＴユニット３１６の出力は、例えば、サブキャリア抽出ユニット３２０及びサブキャリアディマッピングユニット３２２を含む、サブキャリア処理コンポーネント３１８に動作可能に接続される。この例において、ＦＦＴユニット３１６の出力は、サブキャリア抽出ユニット３２０の入力に動作可能に結合されている。サブキャリア抽出ユニット３２０の出力は、サブキャリアディマッピングユニット３２２の入力に動作可能に結合されている。ベースバンドＩＣ３０２は、入力部を有する受信機チェイン３２４の残りであり、デジタルインタフェース３０６を介してサブキャリアディマッピングユニット３２２の出力と通信可能である。受信機チェイン３２４の残りの部分は、ＬＴＥ標準に従い構成され、それらの幾つかの詳細については後述する。サブキャリア抽出ユニット３２０及びサブキャリアディマッピングユニット３２２に関し、ＬＴＥ標準の３ＧＰＰ  ＬＴ  ３６．２１１，６．３により、当業者は、これらユニットの機能は、リソース要素ディマッパーユニット（図示せず）により実行され得るが、ここで述べる機能をサポートする様に構成され得ることを理解する。
【００４６】
デジタルインタフェース３０６は、サブキャリアディマッピングユニット３２２と受信機チェイン３２４の残りの部分との間に配置され、よって、ＲＦ  ＩＣ３０４とベースバンドＩＣ３０２との間に配置される。さらに、サブキャリアディマッピングユニット３２２は、デジタルインタフェース３０６とサブキャリア抽出ユニット３２０との間に配置される。
【００４７】
図４によると、受信機チェイン３２４の残りの部分は、デジタルインタフェース３０６のデータチャネル３０５を介してサブキャリアディマッピングユニット３２２の出力から通信されるサブキャリアを受信することができる入力を有するチャネル推定ユニット３３０を備えている。チャネル推定ユニット３３０の第１出力は、タイミング誤差トラッキングユニット３３４の第１入力に動作可能に結合されている。タイミング誤差トラッキングユニット３３４は、デジタルインタフェース３０６の上りリンク／下りリンク制御データインタフェース４０４を介して、本例ではサイクリックプレフィクス除去ユニット３１２であるサイクリックプレフィクス処理ユニットと通信可能である。ＲＦ  ＩＣ３０４は、サイクリックプレフィクス除去ユニット３１２がアクセスできる、下りリンクサイクリックプレフィクスレジスタ３３６を備えている。ＲＦ  ＩＣ３０４は、デジタルインタフェース３０６の上りリンク／下りリンク制御データインタフェース４０４を介して、タイミング誤差トラッキングユニット３３４と通信できるセルサーチモジュール３３８も備えている。さらに、セルサーチモジュール３３８は、サイクリックプレフィクス除去ユニット３１２の入力に動作可能に接続され、下りリンクサイクリックレジスタ３３６への書き込みも行うことができる。下りリンクサイクリックレジスタ３３６は、ＦＦＴユニット３１６のサイズも格納している。
【００４８】
チャネル推定ユニット３３０の第２出力は、チャネル等化ユニット３３２の入力に動作可能に結合され、チャネル等化ユニット３３２の出力は、復調、シリアル−パラレル変換、ディレート適合及びチャネル復号を実行するコンポーネントを含む、受信機チェイン２０６の他の機能コンポーネントに動作可能に結合される。受信機チェイン２０６のこれら及び残りのコンポーネントは、当業者には容易に理解され、ここで設定した例の理解には関係しないため、ここでは詳細な説明は行わない。
【００４９】
ベースバンドＩＣ３０２は、チャネル等化ユニット３３２の出力と動作可能に結合される入力を有する物理下りリンク制御チャネル（ＰＤＣＣＨ）復号器コンポーネント３４０も備えており、よって、ＰＤＣＣＨで送信されるデータを受信することができる。ＰＤＣＣＨ復号器コンポーネント３４０の出力は、下りリンク制御情報（ＤＣＩ）復号器３４２の入力に動作可能に結合される。ＤＣＩ復号器３４２の出力は、デジタルインタフェース３０６の上りリンク／下りリンク制御データインタフェース４０４を介して、例えば、リソース割り当てストア３４４といった、リソース割り当てデータストアに動作可能に結合され、リソース割り当てデータストアに書き込みを行うことができ、サブキャリアディマッピングユニット３２２は、リソース割り当てストア３４４にアクセスすることができる。リソース割り当てストア３４４は、上りリンクリソース配分データ及び下りリンクリソース配分データを格納するために設けられる。サブキャリア処理コンポーネント３１８は、配分リソース選択器サブコンポーネント３４６も有し、配分リソース選択器サブコンポーネント３４６の入力は、サブキャリア抽出ユニット３２０の出力に動作可能に接続される。サブキャリアディマッピングユニット３２２は、配分リソース選択器サブコンポーネント３４６を含み得る。ハードウェアサブシステム３００、特に本例では、ベースバンドＩＣ３０２は、プロトコルソフトウェアコンポーネント３４８を含んでいる。プロトコルソフトウェアコンポーネント３４８は、物理下りリンク共用チャネル（ＰＤＳＣＨ）で通信されるデータを受信可能である。プロトコルソフトウェアコンポーネント３４８の出力は、デジタルインタフェース３０６の上りリンク／下りリンク制御データインタフェース４０４を介して、リソース配分ストア３４４に動作可能に結合される。他の実施形態において、ベースバンドＩＣ３０２は、プロトコルソフトウェアコンポーネント３４８の出力に動作可能に結合される入力を有する基準信号識別ロジック３５０を有し得る。基準信号識別ロジック３５０の出力は、リソース配分ストア３４４に動作可能に結合される。
【００５０】
動作において（図５及び図６）、ＵＥユニット２００のアンテナ２１０及びデュプレクサ２０８を介して受信されたＲＦ信号（ステップ４００）は、ＲＦ  ＩＣ３０４の上流ＲＦ処理ユニット３０８で、アナログベースバンド信号にダウンコンバージョンされ（ステップ４０２）、アナログベースバンド信号は、アナログベースバンド信号をデジタルドメインに変換するため（ステップ４０４）、アナログ−デジタル変換器３１０に通信される。よって、アナログ−デジタル変換器３１０は、受信アナログベースバンド信号に応答してデジタル信号を生成し、デジタル信号は、ＬＴＥ標準で定義されたフレーム構造に従い配置されたシンボル列を有し、各フレームは複数のシンボルを有する。ＬＴＥ標準によると、シンボルは、ガードインターバルを提供し、シンボル間干渉の影響を低減させるサイクリックプレフィクスが前に置かれている。ＬＴＥ標準によると、デジタル信号の処理の部分として、サイクリックプレフィクスの除去（ステップ４０６）が必要である。
【００５１】
この点、サイクリックプレフィクス除去ユニット３１２は、下りリンクサイクリックプレフィクスの長さを判定するために、下りリンクサイクリックプレフィクスレジスタ３３６にアクセスする。しかしながら、特に、下りリンクサイクリックプレフィクスレジスタ３３６は、サイクリックプレフィクスの除去に使用する下りリンクサイクリックプレフィクスの長さを含むことが必要である。この点、セルサーチモジュール３３８は、アナログ−デジタル変換器３１０とサイクリックプレフィクス除去ユニット３１２との間で通信される下りリンクデータを受信する。セルサーチモジュール３３８は、ＬＴＥ標準に従いセルサーチ手順を開始する。特に、本実施形態のこの下りリンクの態様において、セルサーチモジュール３３８はプライマリ同期信号を見つけ、その後、プライマリ同期信号内のセカンダリ同期信号を見つけ、下りリンクサイクリックプレフィクスに使用されている長さを検出するために、下り同期チャネルを使用する。一旦検出すると、下りリンクサイクリックプレフィクスの長さは、セルサーチモジュール３３８により、下りリンクサイクリックプレフィクスレジスタ３３６に書き込まれる。
【００５２】
サイクリックプレフィクス除去ユニット３１２は、タイミング誤差トラッキングユニット３３４から、タイミングデータを構成するサンプル位置番号データを含む、制御データも受信する。サイクリックプレフィクス除去ユニット３１２は、ｎ番目のサンプルといったサンプル位置番号について、先行シンボルからのシンボル間干渉が存在する中、サイクリックプレフィクスの信号エネルギの開始の最適位置を正確に位置決めするためにこのタイミングデータを使用する。この点、このサンプル位置番号データ、ＦＦＴユニット３１６の格納サイズ及び下りリンクサイクリックプレフィクスのアクセスされる長さは、サイクリックプレフィクス除去ユニット３１２としてサービス提供するベースバンドＩＣで使用される任意の適切なサイクリックプレフィクス除去アルゴリズムで使用され得るが、本例において、これはＲＦ  ＩＣ３０４に配置される。サイクリックプレフィクス除去ユニット３１２は、この様に、サンプル位置番号データ、ＦＦＴサイズデータ及び下りリンクサイクリックプレフィクスの長さを、例えば、シリアル−パラレル変換器ユニット３１４へサイクリックプレフィクスを通信することを故意に行わないといった、サイクリックプレフィクスの除去（ステップ４０６）に使用する。サイクリックプレフィクスが除去されると、前にサイクリックプレフィクスがないシンボルは、シリアル−パラレル変換器３１４にシリアルデータストリームとして通信され、シリアル−パラレル変換器３１４では、シンボルは、ＦＦＴユニット３１６に通信される前に、パラレルデータに変換（ステップ４０８）される。ＦＦＴユニット３１６は、時間ドメイン信号を周波数ドメインに変換、つまり、周波数信号を生成するために、信号を搬送し、時間ドメインであるシンボルに高速フーリエ変換アルゴリズムを適用する（ステップ４１０）。ＦＦＴユニット３１６の出力は、ＬＴＥ標準に従って未使用ガードキャリアを除去（ステップ４１２）するために、サブキャリア処理コンポーネント３１８のサブキャリア抽出ユニット３２０に通信される。実際、ＦＦＴユニット３１６は、ＬＴＥ標準に従い、その公知の出力から使用されているサブキャリアを提供し、使用されているサブキャリアは、未使用ガードキャリアの間に配置されている。公知の出力の位置は、ＰＤＣＣＨの復号により取得され、出力は、基準信号を搬送している出力を含むことができる。結果、未使用ガードバンドの除去は、サブキャリアディマッピングユニット３２２がＦＦＴユニット３１６の公知出力から使用サブキャリアを単に読み出すだけで達成される。その後、サブキャリアディマッピングユニット３２２により読み出された使用サブキャリアは、リソース割り当てデータに従い、ＵＥユニット２００に配分されたサブキャリアのリソース要素を抽出するためのサブキャリアディマッピング（ステップ４１４）を実行するため、サブキャリアディマッピングユニット３２２で使用される。
【００５３】
ベースバンドＩＣ３０２がＰＤＣＣＨを含む信号、よって、リソース配分情報を受信していないこの初期段階において、ＵＥユニット２００は、明らかにＰＤＣＣＨを復号できず、サブキャリアディマッピングユニット３２２は、リソース配分データへのアクセスを有さず、よって、それらをディマッピングすることなく、総ての受信サブキャリを、受信機チェイン３２４の残りの部分に通信しなければならない。しかしながら、後述するさらなる説明から明らかになる様に、サブキャリアディマッピングユニット３２２が下りリンクリソース配分データに一旦アクセスすると、サブキャリアディマッピングユニット３２２は、ＵＥユニット２００が復号に必要とするサブキャリアリソース要素を抽出するために、サブキャリアをディマッピングすることができる（ステップ４１４）。
【００５４】
サブキャリアの抽出後、配分されたサブキャリアのみを含むディマッピングされた信号は、受信機チェイン３２４の残りの部分に渡され、そこで、チャネルが推定され（ステップ４１６）、タイミング誤差トラッキングユニット３３４は、シンボルの信号エネルギの開始の識別における任意の誤差を判定する（ステップ４１８）。この誤差は、複数の方法で計算され得る。例えば、セルサーチモジュール３３８により、シンボルの開始の粗い推定が生成され、タイミング誤差トラッキングユニット３３４に通信される。この初期推定は、サンプル位置番号として、タイミング誤差トラッキングユニット３３４により、サイクリックプレフィクス除去ユニット３１２に通信される。初期推定の精度は、任意の適切な公知技術による改良され得る。例えば、タイミング誤差トラッキングユニット３３４は、サブキャリアディマッピングユニット３２２の出力から直接得られる基準信号を使用でき、基準信号は、初期推定のサンプル位置番号の使用により得られる。代わりに、この例で利用する様に、初期推定の精度は、サブキャリアディマッピングユニット３２２から、チャネル推定ユニット３３０を介して、チャネル推定ユニット３３０により生成されたチャネル遅延プロファイルデータと共に基準信号を取得するタイミング誤差トラッキングユニット３３４により改良され得る。タイミング誤差トラッキングユニット３３４は、改良されたサンプル位置番号を判定する。一旦計算されると、サンプル位置番号データは、下りリンクサイクリックプレフィクスレジスタ３３６で使用され、格納される制御情報として、サイクリックプレフィクス処理ユニット３１２に通信される（ステップ４２０）。この例において、タイミング誤差トラッキングユニット３３４は、サンプル位置番号データをサイクリックプレフィクス処理ユニットに、ＬＴＥシステムのサブフレーム当たり少なくとも１回の割合で通信する。この例において、サンプル位置番号は、サブフレーム境界に同期して、つまり、サブフレーム間の境界に同期して、通信される。
【００５５】
チャネル推定ユニット３３０の出力は、受信機チェイン３２４の残りによる受信信号の総てのさらなる処理の前に、チャネル等化ユニット３３２によるチャネル等化の対象にもなる（ステップ４２２）。上記プロセス（ステップ４００から４２２）は、受信ＲＦ信号を連続的に処理するため、ＲＦ信号が受信されている間、繰り返される。
【００５６】
図６を参照すると、一旦、チャネル等化が実行されると、ＰＤＣＣＨは、ベースバンドＩＣ３０２によりアクセスされ復号可能となる（ステップ５００）。その後、ＤＣＩ復号器３４２は、ＰＤＣＣＨに存在する下りリンク制御情報を復号できる（ステップ５０２）。下りリンク制御情報の復号に加え、ＤＣＩ復号器３４２は、下りリンク制御情報のリソース配分フィールドから、リソース割り当てデータ、特に、リソース配分フィールドのリソースブロック割り当て部を抽出するために、下りリンク制御情報を解析する。この点、ＬＴＥ標準による所定のデータ構造定義に適合するリソース割り当てデータは、上りリンク及び下りリンク通信のためのリソースの配分を特定する。この点、ＬＴＥ標準によると、下りリンクリソース配分データは、現在のサブフレームに関連し、上りリンクリソース配分データは、現在のサブフレームより前の所定数のサブフレーム、例えば、４つのサブフレームに関連する。
【００５７】
よって、この例において、ＤＣＩ復号器３４２は、それぞれがリソース割り当てデータを含む、上りリンク及び下りリンクリソース配分データを、上りリンク通信に関しては、サブキャリアマッピングユニット（図示せず）による利用のため、下りリンク通信に関しては、配分リソース選択器サブコンポーネント３４６／サブキャリアディマッピングユニット３２２がリソース選択動作を実行するために、リソース割り当てストア３４４に書き込み（ステップ５０４）、その詳細は後述する。上りリンクリソース配分データに関し、上りリンクリソース配分データは、ＤＣＩ復号器３４２により、上りリンクリソース配分データに関連するサブフレームを識別する識別子、例えば、オフセット値４といったオフセット値で強化される。ＤＣＩ復号器３４２は、その後、後に続く下りリンク制御情報を復号するために、後続するサブフレームを待つ（ステップ５０６）。
【００５８】
リソース割り当てデータの受信が開始されると、配分リソース選択器サブコンポーネント３４６／サブキャリアディマッピングユニット３２２は、ＵＥユニット２００のための必要キャリアを選択するために、リソース選択動作を実行でき、これにより、ＵＥユニット２００に向けられていない不要サブキャリアが除かれる。この点、サブキャリア処理コンポーネント３１８の配分リソース選択器サブコンポーネント３４６は、そこに書き込まれたリソース配分データを取得するために、リソース割り当てストア３４４にアクセスし、必要サブキャリアと不要サブキャリアを判別する様に下りリンクリソース配分データを適用する。この点、例えば、サブキャリア抽出ユニット３２０による、任意の適切な技術を使用しての未使用サブキャリアを占有するために使用されるゼロの抽出に続き、サブキャリア処理コンポーネント３１８は、ディマッピングと、ＵＥユニット２００に無関係な不要サブキャリアを除去する"シンニング"とに必要な、抽出されたサブキャリアのさらなる処理を行う。サブキャリア抽出ユニット３２０により受信されたサブキャリアは、よって、必要サブキャリアと不要サブキャリアとを含む。必要サブキャリアは、ＤＣＩ復号器３４２により復号され、ＵＥユニット２００に配分されたリソースを識別する、リソース割り当てデータにより定義される、つまり、リソース割り当てデータはＵＥユニット２００に固有である。実際、当業者には理解される様に、下りリンク制御情報は、ＵＥユニット２００の識別子でスクランブルされ、ＤＣＩ復号器３４２のみがＵＥユニット２００のための下りリンク制御情報を復号でき、よって、ｅＮｏｄｅ  Ｂ１０４によりＵＥユニット２００に割り当てられたリソース要素を特定するリソース割り当てデータを復号できる。
【００５９】
結果、ＵＥユニット２００に割り当てられた、及び／又は、ＵＥユニット２００が必要とするリソース要素を特定する下りリンクリソース配分データを使用することで、配分リソース選択器サブコンポーネント３４６は、サブキャリアから必要サブキャリアを取得し、必要サブキャリアを、サブキャリアのディマッピングに責任を負うサブキャリアディマッピングユニット３２２のサブコンポーネントに通信する。この点、配分リソース選択器サブコンポーネント３４６は、下りリンクリソース配分データを使用して受信サブキャリアのリソース選択動作を実行する。リソース割り当てストア３４４が格納する下りリンクリソース配分データを使用することで、サブキャリアディマッピングユニット３２２は、ＵＥユニット２００の必要サブキャリを、ｅＮｏｄｅ  Ｂ１０４により生成されたＱＡＭ波形に対応する、Ｍ個の等間隔で隣接するサブキャリアの振幅及び位相の集合にディマッピングする。この点、ＬＴＥ標準によるＬＴＥ通信システム１００の帯域幅に渡る、Ｎ個の等間隔で隣接するサブキャリアの拡張スペースが定義される。Ｍ個の等間隔で隣接するサブキャリアの集合は、Ｎ個の等間隔で隣接するサブキャリアのスペース以下である、Ｍ個の等間隔で隣接するサブキャリアの分解（Ｃｏｌｌａｐｓｅｄ）スペースを構成する。よって、明らかな様に、サブキャリア処理コンポーネント３１８は、サブキャリアの拡張スペースとサブキャリアの分解スペースとの間で変換を行う様に構成される。さらに、本例において、リソース配分データに従うサブキャリアの分解スペースとサブキャリアの拡張スペースとの間での変換は、直交周波数分割多重通信法に従い割り当てられた所定のトーン及び対応サブキャリアであり得る。
【００６０】
Ｍ個の等間隔サブキャリアの集合は、ベースバンドＩＣ３０２によるさらなる処理のため、デジタルインタフェース３０６のデータチャネル３０５を介して、ベースバンドＩＣ３０２のチャネル推定器３３０に通信される。
【００６１】
ＵＥユニット２００に配分されたサブキャリアに加えて、下りリンク信号は、基準信号を搬送するサブキャリアを有し、それらの幾つかは、例えば、下りリンクチャネル推定及び位置決めを実行するといった、様々な機能のためにＵＥユニット２００により使用されるセル固有である。基準信号のサブキャリアへのマッピングは、ＬＴＥ標準の３ＧＰＰ  ＴＳ  ３６．２１１  ６．１０で規定されている。この例において、ベースバンドＩＣ３０２が基準信号を必要とし、ＲＦ  ＩＣ３０４は、基準信号を搬送するサブキャリアを、ＵＥユニット２００に配分されているサブキャリアと無関係に、かつ、それに加えて、ベースバンドＩＣ３０２に通信する必要がある。
【００６２】
通信システム１００の下りリンク帯域のＮサブキャリア内の基準信号の配分は、例えば、基準信号タイプ、セル識別子、及び／又は、送信アンテナといった、様々なパラメータに応じて変化するので、基準信号を搬送するサブキャリアを選択するために、基準信号のマッピングに関する、さらなる特定の情報を判定する必要がある。例えば、セル選択手順の間、及び／又は、ＵＥユニット２００が接続モードになりｅＮｏｄｅ  Ｂ更新が実行されるとき、メタデータをプロトコルソフトウェアコンポーネント３４８により抽出できる。
【００６３】
この点、プロトコルソフトウェアコンポーネント３４８は、ＰＤＳＣＨ上で通信されるデータを受信し、下りリンク帯域内で基準信号を搬送している各サブキャリアを特定する構成データを生成する。プロトコルソフトウェアコンポーネント３４８は、その後、生成した構成データを、デジタルインタフェース３０６の上りリンク／下りリンク制御データインタフェース４０４を介して、ＲＦ  ＩＣ３０４に通信し、受信される構成データは、配分リソース選択器サブコンポーネント３４６による後の使用のためにサブキャリア処理コンポーネント３１８のリソース割り当てストア３４４に格納される。
【００６４】
この点、サブキャリア処理コンポーネント３１８の配分リソース選択器サブコンポーネント３４６は、そこに書き込まれた構成データを取得するために、リソース割り当てストア３４４にアクセスし、基準信号を搬送しているサブキャリアと基準信号を搬送していないサブキャリアとを区別するための更なるリソース配分データを生成する。本例において、更なるリソース配分データは、必要及び不必要サブキャリアについて既に格納されているリソース配分データと組み合わせられ、必要サブキャリアと、基準信号を搬送しているサブキャリアのカテゴリを含み得る。その様な組み合わせは、例えば、単純なＸＯＲ論理機能を使用することで達成され得る。ＵＥユニット２００に配分されたサブキャリアに関するリソース配分データが基準信号を搬送するサブキャリアを含む様に拡大されると、配分リソース選択器サブコンポーネント３４６によるリソース選択動作の上記実装は、ＵＥユニット２００により受信されるサブキャリアを選択するのみならず、例えば、チャネル等化といった、追加のベースバンド処理に必要な基準信号を搬送するサブキャリアも選択し、サブキャリアディマッピングユニット３２２は、配分リソース選択器サブコンポーネント３４６により選択された、ＵＥユニット２００のためのサブキャリアを含むサブキャリアをディマッピングする。
【００６５】
構成データは、典型的には、サブフレーム毎に更新される。しかしながら、構成データの生成は、ＰＤＳＣＨのデータが、あるサブフレームにおいてプロトコルソフトウェアコンポーネント３４８に利用可能でないときも生成できることが理解される。例えば、ＵＥユニット２００が、静止している、或いは、非常に遅い速度で移動していることが分かっている場合、ＵＥユニット２００は、ｅＮｏｄｅ  Ｂにキャンプオンし続けるので、基準信号の位置は変わらない。さらに、ＵＥユニット２００が、静止している、或いは、非常に遅い速度で移動している場合、チャネル特性は、大きく変動しないと想定でき、チャネル推定目的での更新された基準信号データの使用は、例えば、３又は４サブフレームといった、所定数のサブフレームの間、停止され得る。
【００６６】
上述した様に、ベースバンドＩＣ３０２が、基準信号識別ロジック３５０を含む別の実施形態において、基準信号を搬送しているサブキャリを特定するビットマップがベースバンドＩＣ３０２で生成され、サブキャリア処理コンポーネント３１８にデジタルインタフェース３０６を介して通信される。しかしながら、その様なアプローチは、サブキャリア処理コンポーネント３１８に構成データを通信するアプローチより、デジタルインタフェース３０６のより多くの帯域幅を使用する。
【００６７】
図７を参照すると、第１サブフレーム６００、第２サブフレーム６０２及び第３サブフレーム６０４が示されている。第１サブフレーム６００は、比較目的で示され、第２サブフレーム６０２及び第３サブフレーム６０４は、デジタルインタフェース３０６を横切る下りリンク通信に関してここで設定した例に従うサブキャリア処理の性能に関連するので、この説明の目的のため連続していると考える。第２サブフレーム６０２を参照すると、初期的には、デジタルインタフェース３０６は、ＰＤＣＣＨ及びＰＤＳＣＨの復号を可能にするため、総ての受信サブキャリアをベースバンドＩＣ３０２に通信するために使用される必要があり、よって、サブキャリア処理コンポーネント３１８は、下りリンクリソース配分データを使用可能になる。よって、ＵＥユニット２００は、初期時間期間６０６の間に制御情報を受信しようと試み、未使用ガードサブキャリア無しに、総ての受信サブキャリアは、デジタルインタフェース３０６のデータチャネル３０５を横切って通信され、未使用ガードサブキャリアの除去により達成される、帯域減少は達成されない。デジタルインタフェース３０６の帯域利用の減少がない状態は、制御データが復号され、サブキャリア処理コンポーネント３１８に下りリンク配分データが提供される、期間６０８の間、継続する。その後、サブキャリア処理コンポーネント３１８は、サブキャリアのシンニングを実行でき、必要サブキャリアのみをディマッピングでき、必要サブキャリアは、続いて、デジタルインタフェース３０６のデータチャネル３０５を横切って通信される。図７から分かる様に、下りリンク帯域幅の総てのＮサブキャリアではなく、必要サブキャリアのみがデジタルインタフェース３０６のデータチャネル３０５を横切って通信される必要がある後続期間６１０の間、少しのデジタルインタフェース帯域のみが必要とされる。比較のため、第１サブフレーム６００は、ＲＦ  ＩＣではなく、ベースバンドＩＣでサブキャリア処理を使用する、つまり、必要サブキャリの選択とディマッピングがベースバンドＩＣで実行される受信機チェインのデジタルインタフェースの帯域幅利用を示している。明らかな様に、第１サブフレーム６００の帯域利用は、第２サブフレーム６０２及び第３サブフレーム６０４の帯域利用よりも多い。
【００６８】
帯域減少は、さらに、サブキャリア処理がベースバンドＩＣ３０２で実行される場合のデータ転送レートと、サブキャリア処理がデジタルインタフェース３０６とは他の側のＲＦ  ＩＣ３０４で実行される場合のデータ転送レートとを比較する、以下の表Ｉにより示される。計算される帯域節約量も提示される。
【００６９】
【表１】
0006629427.tif 000002
【００７０】
さらなる改良の方法として、別の例では、下りリンクリソース配分データを取得してリソース割り当てストア３４４に書き込む時間を得て、ディマッピング前のサブキャリアをバッファリングするために、バッファをサブキャリア抽出ユニット３２０とサブキャリアディマッピングユニット３２２の間に配置することができ、これにより、サブキャリを更なる期間６０８でディマッピングすることが可能になり、よって、デジタルインタフェース３０６を横切る帯域利用をさらに低減させることができる。その様な実装において、プロトコルソフトウェアコンポーネント３４８は、下りリンク制御情報を復号するためにベースバンドＩＣ３０２に通信する必要があるシンボルの数の表示をバッファに提供する様に構成され、バッファは、リソース処理コンポーネント３１８が下りリンクリソース配分データを取得するまで、後続するシンボルを格納する様に構成される。その後、バッファされたデータは、ディマッピング後、デジタルインタフェースのデータチャネル３０５を横切って通信される。しかしながら、当業者は、例えば、ＵＥユニット２００にＮサブキャリアの拡張スペースで利用可能な総てのサブキャリアが配分されている場合、その様な実装がデジタルインタフェース３０６を横切るデータレートの増加を必要とし、平均的に帯域節約の利得が失われることを理解する。しかしながら、当業者は、実際には、下りリンク帯域の総てのサブキャリアが単一ＵＥに配分されることがほとんどないことを理解する。
【００７１】
図８を参照すると、ＬＴＥ通信システムで規定されるシングルキャリア周波数分割多重アクセス波形のための送信機チェイン２０４も、ベースバンドＩＣ３０２、ＲＦ  ＩＣ３０４及びデジタルインタフェース３０６により以下の様にサポートされている。ベースバンドＩＣ３０２は、上流ベースバンド処理ユニット７００での、とりわけ、サイクリックリダンダンシィ（ＣＲＣ）符号化、チャネル符号化、レート適合化、シリアル−パラレル変換、変調及びデジタルフーリエ変換（ＤＦＴ）の実行を含む、"上流"ベースバンド処理を含む。送信機チェイン２０４のこれらコンポーネント及び残りの他のコンポーネントは、ＬＴＥ標準で設定され、いずれにしても、当業者には容易に理解され、ここで設定した例において述べられる発明の概念の理解には関係がなく、ここでは詳細な説明は行わない。しかしながら、全体を見せるため、これらの要素を図８に関して述べる。
【００７２】
この例において、サブキャリア処理は、ベースバンドＩＣ３０２の代わりにＲＦ  ＩＣ３０４に設けられる。よって、ＲＦ  ＩＣ３０４は、サブキャリアマッピングユニット７０２を有し、上流ベースバンド処理ユニット７００の出力は、サブキャリアマッピングユニット７０２の入力に動作可能に結合される。ＲＦ  ＩＣ３０４において、サブキャリアマッピングユニット７０２の出力は、未使用サブキャリアゼロパディングユニット７０４の入力と動作可能に結合される。この例において、サブキャリマッピングユニット７０２及び未使用サブキャリアゼロパディングユニット７０４は、サブキャリア処理コンポーネント３１８を構成している。未使用サブキャリアゼロパディングユニット７０４は、例えば、Ｎポイント高速逆フーリエ変換（ＩＦＦＴ）ユニット７０６の入力といった、ＳＣ−ＦＤＭＡ通信法に従い、時間ドメインと周波数ドメインとの間での信号の変換をサポートする様に構成された第３変換器の他の例と動作可能に結合される出力を有する。ＩＦＦＴユニット７０６の出力は、それぞれ、上述した第３変換器とは異なる第２変換器の他の例と動作可能に結合され、第２変換器は、パラレルデータフォーマットとシリアルデータフォーマットとの間の信号変換をサポートする様に構成される。例えば、ＩＦＦＴユニット７０６は、パラレル−シリアル変換器７０８の複数の入力と動作可能に結合される。サブキャリアマッピングユニット７０２及びサブキャリアゼロパディングユニット７０４に関し、ＬＴＥ標準の３ＧＰＰ  ＬＴ  ３６．２１１，５．３により、当業者は、これらユニットの機能は、リソース要素マッパーユニット（図示せず）により実行され得るが、ここで述べる機能をサポートする様に構成され得ることを理解する。
【００７３】
ＲＦ  ＩＣ３０４は、例えば、プレフィクスデータ格納部又は別のバッファ（図示せず）を含み、パラレルーシリアル変換器７０８のシリアル出力に動作可能に結合される入力を有するサイクリックプレフィクス追加ユニット７１０といった、サイクリックプレフィクス処理ユニットも備えている。バッファは、デジタルインタフェース３０６のデータチャネル（接続は図示せず）と動作可能に結合され、バッファのサイズは、ＯＦＤＭ通信法によりサポートされるサイクリックプレフィクスの最大可能長を格納するのに十分である。サイクリックプレフィクス付加ユニット７１０の出力は、例えば、デジタル−アナログ変換器ユニット７１２といった第１変換器ユニットの他の例の入力と動作可能に結合され、第１変換器ユニットは、ＲＦ  ＩＣ３０４のＲＦ処理回路７１４の、アップコンバージョンコンポーネント及び関連する増幅コンポーネントを含む残りの部分と動作可能に結合される出力を有する。ＲＦ処理回路７１４のこれら及び残りのコンポーネントは、当業者には容易に理解され、ここで設定した例の理解には関係しないため、ここでは詳細な説明は行わない。
【００７４】
ベースバンドＩＣ３０２の上流ベースバンド処理ユニット７００の出力は、ＲＦ  ＩＣユニット３０４のサブキャリアマッピングユニット７０２に、デジタルインタフェース３０６を介してデータを通信でき、サブキャリアマッピングユニット７０２は、デジタルインタフェース３０６とサブキャリアゼロパディングユニット７０４との間に配置される。
【００７５】
図９によると、ＲＦ  ＩＣ３０４は、上りリンク通信のため、ＵＥユニット２００により使用されるサイクリックプレフィクス長を格納する、上りリンクサイクリックプレフィクスレジスタ７１６も含んでいる。サイクリックプレフィクス付加ユニット７１０は、必要に応じて上りリンクサイクリックプレフィクスレジスタ７１６にアクセスすることができる。上述した様に、ハードウェアサブシステム３００は、デジタルインタフェース３０６の上りリンク／下りリンク制御データインタフェース４０４を介して、上りリンクサイクリックプレフィクスレジスタ７１６に書き込みを行うことができるプロトコルソフトウェアコンポーネント３４８を含む。
【００７６】
受信機チェイン２０６に関して上述した様に、バースバンドＩＣ３０２は、ＤＣＩ復号器３４２に動作可能に結合されるＰＤＣＣＨ復号器コンポーネント３４０（図９には示さず）も備えており、ＤＣＩ復号器３４２は、レジスタ３４４に上りリンクリソース配分データ及び関連するサブフレーム識別子を書き込むため、リソース割り当てストア３４４に動作可能に結合され、上りリンクリソース配分データは、ＬＴＥ標準に従い現在のサブフレームに続くサブフレームに関する。この例において、サブキャリアマッピングユニット７０２は、リソース割り当てストア３４４にアクセス可能である。下りリンク通信に関して上述した様に、動作中（図６及び図１０）、受信機チェイン２０６は、ＵＥユニット２００個別の下りリンク制御情報を取得するため、ＰＤＣＣＨを復号する（ステップ５００）ＰＤＣＣＨ復号器コンポーネント３４０によりＰＤＣＣＨを監視し、ＤＣＩ復号器３４２は、上りリンク通信にＵＥユニット２００が使用するリソース要素を特定するため、例えば、上りリンクリソース配分データといった、上りリンク通信に関連付けられたリソース割り当てデータを取得するために下りリンク制御情報を復号する（ステップ５０２）。この点、ｅＮｏｄｅ  Ｂ１０４による上りリンクリソース配分のため、ＤＣＩ復号器３４２は、デジタルインタフェース３０６の上りリンク／下りリンク制御データインタフェース４０４を介して、リソー割り当てストア３４４に、上りリンクリソース配分データ及び関連するサブフレーム識別子を書き込む（ステップ５０４）。ＤＣＩ復号器３４２は、その後、上りリンクリソース配分データを取得するため、上述した復号及び解析処理（ステップ５００、５０２）を繰り返す前に、次のサブフレームを待つ（ステップ５０６）。典型的に、上りリンクリソース配分データの入手は、ＵＥユニット２００が上りリンクデータを送信する必要が生じる前に生じる。
【００７７】
理解される様に、現在のサブフレームに関する上りリンクリソース配分データは、リソース割り当てストア３４４に書き込み済であり、本例において、４つのサブフレーム前である。よって、下りリンク制御情報の受信及び復号の上述した処理が実行されている間、上りリンクリソース配分データを待つ必要はなく、図１０を参照すると、ベースバンドＩＣ３０２は、ベースバンドＩＣ３０２の上流ベースバンド処理ユニット７００のデータマッパー（図示せず）及び波形生成器（図示せず）を使用し、Ｍデータビットのブロック（本例において、直交振幅変調（ＱＡＭ）法を使用）で中心周波数がゼロのキャリア信号を変調できる（ステップ８００）。上流ベースバンド処理ユニット７００は、その後、ＬＴＥ標準に従いＭ×１５ｋＨｚの帯域幅を占有し、ＱＡＭ波形に対応する振幅及び位相のＭ個の等間隔で隣接するサブキャリアのセットを生成するために、変調されたキャリア信号をデジタルフーリエ変換ユニット（図示せず）による離散フーリエ変換（ステップ８０２）の対象とする。その後、隣接するサブキャリアのセットは、デジタルインタフェース３０６のデータチャネル３０５を介して、サブキャリアマッピングユニット７０２に通信される（ステップ８０４）。
【００７８】
その後、サブキャリアマッピングユニット７０２は、受信サブキャリアを、現在のサブフレームのどのリソース要素にマッピングすべきかを決定するために、リソース割り当てストア３４４にアクセスし、リソース割り当てストア３４４の関連するエンティティは、サブフレーム識別子を含んでいる。サブキャリアマッピングユニット７０２は、その後、ＬＴＥ標準に従い定義される全帯域幅にわたる、上述した拡張スペースのＮサブキャリアを構成する、より大きなＮサブキャリアのセットの部分に、受信した隣接サブキャリア、つまり、上りリンクリソース配分データにより特定されるリソース要素をマッピング（ステップ８０６）する。マッピング後、Ｎサブキャリアの全セットは、ＦＦＴサイズ要求に適合させるため、サブキャリアゼロパディングユニット７０４により未使用サブキャリアゼロパディング処理（ステップ８０８）の対象になり、リソース配分データの点で未配分のサブキャリアに有効データを挿入する必要があり、パディング処理されたサブキャリアは、パラレル時間ドメインデジタル波形を生成するため、ＩＦＦＴユニット７０６による高速フーリエ逆変換（ステップ８１０）の対象になる。よって、明らかな様に、サブキャリア処理コンポーネント３１８は、サブキャリアの拡張スペースとサブキャリアの分解スペースとの間で変換を行う様に構成される。さらに、本例において、リソース割り当てデータに従うサブキャリアの分解スペースとサブキャリアの拡張スペースとの間での変換は、直交周波数分割多重通信法に従い割り当てられた所定のトーン及び対応サブキャリアであり得る。
【００７９】
デジタル時間ドメイン波形は、シリアルデジタル波形を生成するために、パラレル−シリアル変換器ユニット７０８により、パラレルフォーマットからシリアルフォーマットに変換される（ステップ８１２）。シリアルデジタル波形の最後のＰサンプルからサイクリックプレフィクスを生成する必要があるので、サイクリックプレフィクスを生成するために使用されるデータは、パラレル−シリアル変換器７０８から読み出され、最初に、つまり、シリアルデジタル波形の残りの前に、パラレル−シリアル変換器７０８からサイクリックプレフィクス追加ユニット７０１に通信される。その後、シリアルデジタル波形の残りのサイクリックプレフィクスに関連しないデータがパラレル−シリアル変換器７０８からサイクリックプレフィクス追加ユニット７０１に送信される。よって、シリアルデジタル波形の最後のＮサンプルは、シリアルデジタル波形のサンプルの残りの部分より前にサイクリックプレフィクス追加ユニット７１０によって受信され、サイクリックプレフィクス追加ユニット７１０によって処理される。この点、ＬＴＥ標準は２つ以上のサイクリックプレフィクス長をサポートしているので、シリアルデジタル波形のサンプルの上述した処理を実行するために使用する上りリンクサイクリックプレフィクスの長さをサイクリックプレフィクス追加ユニット７１０に提供する必要がある。結果、プロトコルソフトウェアコンポーネント３４８は、ＰＤＳＣＨを介してシステム情報ブロックデータ、特に、ＳｙｓｔｅｍＩｎｆｏｒｍａｔｉｏｎＢｌｏｃｋＴｙｐｅ２データへのアクセスを有し、プロトコルソフトウェアコンポーネント３４８は、そこから使用される上りリンクサイクリックプレフィクス長を抽出する。プロトコルソフトウェアコンポーネント３４８は、その後、上りリンク／下りリンク制御データインタフェース４０４を介して、上りリンクサイクリックプレフィクスレジスタ７１６に、使用される上りリンクサイクリックプレフィクス長を書き込む（ステップ８１４）。使用される上りリンクサイクリックプレフィクス長は、サイクリックプレフィクス追加ユニット７１０により、上りリンクサイクリックプレフィクスレジスタ７１６から読み出される。サイクリックプレフィクス追加ユニット７１０は、シンボル毎に、受信したあるシンボルのシリアルデジタル波形の最後のＰサンプルの各コピーをバッファに格納し、格納されるデータ量は、上りリンクサイクリックプレフィクスレジスタ７１６から読み出した上りリンクサイクリックプレフィクス長に従い選択される。その後、パラレル−シリアル変換器７０８から送信されたサンプルをサイクリックプレフィクス追加ユニット７１０が完全に受信すると、受信シンボルの格納された部分がサイクリックプレフィクス追加ユニット７１０によりバッファから読み出され、当該シンボルを完全にするため、当該シンボルの受信した最後のサンプルの終わりに追加される（ステップ８１６）。その後、サイクリックプレフィクス追加ユニット７１０により形成された信号は、デジタル−アナログ変換器７１２によりデジタルドメインからアナログドメインに変換され（ステップ８１８）、アナログ信号出力は、ＲＦ信号を生成するため、ＲＦ処理回路７１４の残りの部分に関して上述したアップコンバータによりアップコンバージョンされる（ステップ８２０）。アップコンバージョンされたＲＦ信号は、アンテナ２１０により放出前のデュプレクサ２０８に適用される前に、ＲＦ処理回路７１４の残りの部分に関して上述した電力増幅器により増幅される（ステップ８２２）。
【００８０】
図１１によると、例えば、デジタルインタフェース３０６のＲＦ  ＩＣ側のサブキャリアマッピングユニット７０２及び未使用サブキャリアゼロパディングユニット７０４といったサブキャリア処理コンポーネントの配置、より詳しくは、ＲＦ  ＩＣ３０４が、サブキャリアマッピングユニット７０２及び未使用サブキャリアゼロパディングユニット７０４を含む配置から分かる様に、ＬＴＥ標準の全帯域幅に渡るＮサブキャリアのより大きなセットを、デジタルインタフェース３０６のデータチャネル３０５を横切らせて通信する必要はない。この点、サブキャリアマッピング及びサブキャリアゼロパディングをベースバンドＩＣ３０２により実行する際にデジタルインタフェース３０６のデータチャネル３０５を横切って通信され必要があった、より多い量のデータ６２２＋６２４と比較し、各サブフレーム６２０のために、減少された量のデータ６２２がデジタルインタフェース３０６のデータチャネル３０５を横切って通信される。さらに、明らかな様に、現在のサブフレームに関する上りリンクリソース配分データは、ＬＴＥ標準に従い現在のサブフレームの前に送信されるので、上述した帯域幅減少手段では遅延が生じない。
【００８１】
帯域減少は、さらに、サブキャリア処理がベースバンドＩＣ３０２で実行される場合のデータ転送レートと、サブキャリア処理がデジタルインタフェース３０６の他の側のＲＦ  ＩＣ３０４で実行される場合のデータ転送レートとを比較する、以下の表ＩＩにより示される。計算される帯域節約量も提示される。
【００８２】
【表２】
0006629427.tif 000003
【００８３】
ｅＮｏｄｅ  Ｂ間でハンドオーバが指示されると、プロトコルソフトウェアコンポーネント３４８は、ハンドオーバ手順のターゲットｅＮｏｄｅ  Ｂに関してのサイクリックプレフィクス長を抽出し、サイクリックプレフィクス長情報は、ＵＥユニット２００とターゲットｅＮｏｄｅ  Ｂとの間の同期手順の間に取得される。上述したのと同様の方法により、ターゲットｅＮｏｄｅ  Ｂにより使用されている上りリンクサイクリックプレフィクス長は、上りリンク／下りリンク制御データインタフェース４０４を介して、上りリンクサイクリックプレフィクスレジスタ７１６に書き込まれる。
【００８４】
現在のＬＴＥ標準において、複数の長さのサイクリックプレフィクスが存在し、選択されるサイクリックプレフィクスは、伝搬を考慮して決定される。この例において、サイクリックプレフィクス処理ユニットは、モデムがデータ送信に使用するのに利用可能なサイクリックプレフィクス長の表示を含む上りリンクサイクリックプレフィクスレジスタ７１６のコンテンツに責任をもつ。シンボルの最後のＰサンプルは、ベースバンドＩＣ３０２により事前に送信されるので、サイクリックプレフィクス処理ユニットは、シンボルを完成させるために使用されるデータをバッファに格納し、（シンボルのサンプルにプレフィクスすることに加えて）受信したシンボルの残りのサンプルの終わりに追加することが必要となる。
【００８５】
上りリンクサイクリックプレフィクスレジスタ７１６に格納されているサイクリックプレフィクスが現在のものであることを確実にするため、現在のｅＮｏｄｅ  ＢからタイミングアドバンスコマンドをＵＥユニット２００が受信することに応答して、プロトコルソフトウェアコンポーネント３４８は、上りリンクサイクリックプレフィクスレジスタ７１６に格納されたサイクリックプレフィクス長情報をリフレッシュする様に構成され得る。
【００８６】
当業者は、上述した実装が、添付の特許請求の範囲の範囲内で考えられる様々な実装の単なる例であることを理解する。実際、当業者は、送信機チェイン２０４及び受信機チェイン２０６の組み合わせでのここでの記載が、モデムが送信機チェイン２０４及び受信機チェイン２０６のみを含むことに限定することを意図したものではないことを理解し、送信機チェイン２０４と受信機チェイン２０６のいずれかを含むモデムや、他のものを含むものを考えることができる。
【００８７】
同様に、"変換器"ユニットに対する様々な参照をここでは行った。この用語の正確な意味は、特定の文脈により異なる。しかしながら、一般的なレベルにおいて、変換器ユニットは、例えば、アナログ−デジタル変換器の様な、アナログドメインからデジタルドメインといった、第１ドメインから第２ドメインに入力を変換するユニットである。変換器コンポーネントの他の例は、デジタル−アナログ変換器である。しかしながら、フォーマットも"ドメイン"と見なすべきであり、例えば、パラレルデータフォーマット及びシリアルデータフォーマットもドメインと見做され、この点において、パラレル−シリアル変換器及びシリアル−パラレル変換器もこれらドメイン間の"変換"の例である。ドメインのさらなる例は、周波数ドメイン及び時間ドメインであり、この点において、ＦＦＴユニット及びＩＦＦＴユニットは、周波数ドメインと時間ドメインとの間での"変換"の例である。
【００８８】
異なる実装の更なる例として、サブキャリアマッピングを達成する他の技術が存在し、例えば、所謂、半永続的スケジューリングといった、適切な適合により上記例に適用可能であることが理解される。しかしながら、その様なアプローチは、ＰＤＣＣＨの監視の必要性を除去しない。
【００８９】
上述した例においては、ＬＴＥ標準で定義されている様に、２つのサイクリックプレフィクス長さについて述べていた。例えば、サイクリックプレフィクスの３つ以上の異なる長さといった、２より多いプレフィクス長を使用する通信標準を、制御情報がサポートできることを理解すべきである。代わりに、通信システムにおいて単一のサイクリックプレフィクスが使用される場合、サイクリックプレフィクス長は、ＢＢ  ＩＣ３０２からの特別な通信の必要性無しに、ＲＦ  ＩＣ３０４に局所的に格納することができる。
【００９０】
デジタルインタフェースに関し、機能レベルにおいて、デジタルインタフェースは、ベースバンド処理コンポーネントと無線周波数処理コンポーネントとの間をインタフェースして、送信機チェインへの参照であるか、受信機チェインへの参照であるかに応じて、受信機チェイン３２４の残り又は上流ベースバンド処理ユニット７００に関連付けられた概念的なノードと、サブキャリアディマッピングユニット３２２の出力、又は、サブキャリアマッピングユニット７０２の入力に関連付けられた概念的なノードとの間のデータの通信をサポートする。
【００９１】
上述した説明を通じで、用語"ユニット"は、ベースバンドＩＣ３０２及びＲＦ  ＩＣ３０４のコンポーネントに関して使用した。しかしながら、当業者は、用語"ユニット"及び"コンポーネント"が相互に交換可能であることを理解する。
【００９２】
上記例から分かる様に、第３変換器は、フーリエ変換及び／又はフーリエ逆変換を生成する１つ以上のコンポーネントであり得、フーリエ計算コンポーネントの例を構成する。よって、フーリエ計算コンポーネントは、例えば、高速フーリエ変換コンポーネント、又は、高速フーリエ逆変換コンポーネントといった、フーリエ変換コンポーネント、又は、フーリエ逆変換コンポーネントであり得る。フーリエ変換コンポーネントは、デジタルフーリエ変換コンポーネント、又は、デジタルフーリエ逆変換コンポーネントにより実現され得る。
【００９３】
誤解を避けるために述べると、用語"下りリンク"の使用は、ｅＮｏｄｅＢからＵＥユニットへの通信を参照している。ＵＥユニット２００は、よって、ここで設定した例において、下りリンク受信機チェインを有する。同様に、用語"上りリンク"の使用は、ＵＥからｅＮｏｄｅＢへの通信を参照している。ＵＥユニット２００は、よって、ここで設定した例において、上りリンク送信機チェインを有する。
【００９４】
上記実施形態のシステム及び方法は、上述した構造的な部品及びユーザとの相互作用に加えて、コンピュータシステム（特に、コンピュータハードウェア又はコンピュータソフトウェア）、或いは、特別に製造された或いは適合された集積回路で実現され得る。
【００９５】
上述した実施形態の方法は、コンピュータプログラム、或いは、コンピュータプログラムを担持するコンピュータ可読記憶媒体として提供することができ、コンピュータプログラムは、コンピュータ又は他のプロセッサで実行されると、上述した方法を実行させる様に構成される。
【００９６】
用語"コンピュータ可読記憶媒体"は、制限なく、コンピュータ又はコンピュータシステムにより直接的にアクセスされ、読み込まれる任意のメディアを含む。媒体は、フロッピィディスク、ハードディスク格納媒体、磁気テープの様な磁気格納媒体、光ディスク又はＣＤ−ＲＯＭの様な光格納媒体、ＲＡＭ、ＲＯＭ及びフラッシュメモリを含むメモリの様な電気格納媒体、磁気／光格納媒体の様な上述した媒体のハイブリッド及び組み合わせを含み得るが、それらに限定されない。
【００９７】
本発明の特定の例を述べたが、当業者は、多くの等価な修正、バリエーションが可能であることを理解する。よって、上述した本発明の例示的な実施形態は、説明目的であり、制限するものとはみなされない。上述した実施形態の種々の変更が、本発明の精神及び範囲を逸脱することなく行われ得る。
【図１】
0006629427.tif 000004
【図２】
0006629427.tif 000005
【図３】
0006629427.tif 000006
【図４】
0006629427.tif 000007
【図５】
0006629427.tif 000008
【図６】
0006629427.tif 000009
【図７】
0006629427.tif 000010
【図８】
0006629427.tif 000011
【図９】
0006629427.tif 000012
【図１０】
0006629427.tif 000013
【図１１】
0006629427.tif 000014